(57)【特許請求の範囲】
【請求項１】
締め具（１）がブーツ（３）または何か他の履物をスノーボード（２）上に固定可能にする、スノーボード（２）などの締め具（１）であって、ブーツ（３）または履物を配置する時に、ブーツ（３）または履物の左右の側方からブーツ（３）または履物の中央の足甲の領域に向かって移動して、ブーツ（３）または履物とかみ合う、少なくとも二つの明確な形状を有する可動要素（４，５）を備え、該可動要素（４，５）が、締め具（１）の閉鎖位置において、足甲（６）の近くでブーツ（３）または履物を締め付ける為に、少なくとも部分的にブーツ（３）または履物を覆っている、ことを特徴とする締め具。
【請求項２】
二つの要素（４，５）が、締め具の開放中に、側方へ移動されるように配置されていることを特徴とする請求項１に記載の締め具。
【請求項３】
上述の要素（４，５）が剛性の部品から成ることを特徴とする請求項１または２に記載の締め具。
【請求項４】
使用時に、少なくとも足甲（６）の中央部を無圧力のままにするように形成され、それぞれ足甲（６）の左と右に支持部材を形成する少なくとも二つの押圧要素（３１，３２，４３，４４）を備えることを特徴とする請求項１，２，または３に記載の締め具。
【請求項５】
ステップイン締め具として実施され、使用時に、ブーツ（３）を介して加えられる力（P）によって、締め具（１）を開放位置（A）から閉鎖位置（B）に配置することができる、一つまたは幾つかの制御部材を備えることを特徴とする請求項１から４のいずれか１つに記載の締め具。
【請求項６】
上述の要素（４，５）を、底面および、または側面に位置する、一つ以上のヒンジ点（７，８，５５，５６）の周りにヒンジ取り付けすることを特徴とする請求項１から５のいずれか１つに記載の締め具。
【請求項７】
使用後に、締め具（１）を開放位置（A）に押圧する弾性手段（２２）を備えることを特徴とする請求項１から６のいずれか１つに記載の締め具。
【請求項８】
使用時に、締め具（１）を閉鎖位置に保持する錠止手段（２６，６４）を備えることを特徴とする請求項１から７のいずれか１つに記載の締め具。
【請求項９】
錠止手段（２６，６４）が、使用時に締め具（１）が閉鎖されるとき、自動的に錠止する要素（２７，６５）を含んで、この要素（２７，６５）は要素（２７，６５）を解錠可能にする制御要素（３０，６６）を備え、使用後に、締め具（１）は弾性手段（２２）により加えられる力の助けで開放可能であることを特徴とする請求項７及び８に記載の締め具。
【請求項１０】
二つの要素（４，５）が側方へヒンジ運動可能であり、かつ少なくとも部分的に二つの側面でブーツ（３）を包み得ることを特徴とする請求項１から９のいずれか１つに記載の締め具。
【請求項１１】
錠止手段は少なくとも、二つの上述の要素（４，５）を足甲（６）の上を覆って相互に結合可能な錠止手段（３４）から成ることを特徴とする請求項８または１０に記載の締め具。
【請求項１２】
上述の制御部材が、上述の要素（４，５）と協働し、かつブーツ（３）をそれの上に置けるように底面に位置する、一つまたは幾つかのレバーアーム（２０，２１）から成ることを特徴とする請求項５に記載の締め具。
【請求項１３】
クリップとしてブーツの上を覆ってかみ合う要素（４，５）が側方へ運動可能であること、かつ締め具（１）が、締め具（１）の開閉中に上述の要素（４，５）を案内するための案内を備えることを特徴とする請求項１２に記載の締め具。
【請求項１４】
上述の案内が、クリップとしてブーツ（３）の上を覆ってかみ合う要素（４，５）の位置において外側面に位置する直立支持部材（４８，４９）から成ることを特徴とする請求項１３に記載の締め具。
【請求項１５】
案内が、上述の要素（４，５）の位置および、またはブーツ（３）上への押圧力を調整可能とする調整手段を備えることを特徴とする請求項１３または１４に記載の締め具。
【請求項１６】
上述の要素（４，５）の間にヒンジ取り付けされる支持部材（５４）の形の制御部材を備えて、弾性手段（２２）が上述の要素（４，５）を上述の支持部材（５４）に関して側方回転させるばね（６２，６３）から成ることを特徴とする請求項１３から１５のいずれか１つに記載の締め具。
【請求項１７】
上述の要素を前記制御部材と一緒に、回転自在な方法でこれらの前端の近くで基板（１２）に固定して、これらが締め具の縦方向に関して斜めに伸びる回転軸（５７）の周りに回転可能なことを特徴とする請求項５、１２、または１６に記載の締め具。
【請求項１８】
押圧要素（４４）を備えること、かつ少なくとも後方押圧要素、換言すれば足甲（６）の上面に位置する押圧要素を、これらの部分と、かつ押圧要素（４４）の位置をブーツ（３）の形に調節可能なように、ヒンジ結合可能な部分上に備えることを特徴とする請求項１から１７のいずれか１つに記載の締め具。
【請求項１９】
押圧要素（４３，４４）を備えること、かつ少なくとも多数の押圧要素が運動可能に製造されることを特徴とする請求項１から１８のいずれか１つに記載の締め具。
【請求項２０】
実際のスノーボード（２）上の付着のため基板（１２）並びに固定されるかかと支持部材（１９）を備えることを特徴とする請求項１から１９のいずれか１つに記載の締め具。
【請求項２１】
制御部材が、可動要素（４，５）に固定されるレバーアーム（２０，２１）から成ることを特徴とする請求項５に記載の締め具。
【請求項２２】
ブーツ（３）を介して加えられる圧力によって可動要素（４，５）を作動させるための少なくとも一つの制御部材（３６A）を備えること、かつ制御部材（３６A）と可動要素（４，５）の間に制御部材（３６A）の運動と異なる、可動要素（４，５）の運動を与える伝達手段を備えることを特徴とする請求項１から２１のいずれか１つに記載の締め具。
【請求項２３】
少なくとも一つの可動要素（３６，４，５）が少なくとも一つの付加的なヒンジ点（３７）を備えることを特徴とする請求項１から２２のいずれか１つに記載の締め具。
【請求項２４】
錠止手段（３４）が互いにかみ合い可能な部品またはひもから成り、それにより可動要素（４，５）が互いに結合可能であることを特徴とする請求項１１に記載の締め具。
【請求項２５】
可動要素（４，５）が比較的剛性の、やや可撓性部品から成ることを特徴とする請求項１に記載の締め具。
【請求項２６】
請求項１から２５のいずれか１つに記載の締め具（１）を備えることを特徴とするスノーボード。
【発明の詳細な説明】
本発明はスノーボードなどの締め具に関する。第一に、それはスノーボードに対して意図されるが、より一般的に、それは、例えばモノスキーのような他の用途に対しても使用できる。
スノーボードとともに締め具を実現するため、換言すれば、スノーボードのユーザの一方のブーツとスノーボードそれ自身との間を結合するため、ブーツ前部、特に足甲の上を覆って緊締されるリボンが利用可能なことは公知である。これらのリボンはストラップと呼ばれて、実際のスノーボード上に固定されかつかかと保持部を備える基礎部に付属する。この公知の締め具は使用に時間がかかるという点で不利である。別の欠点は、大きな圧力が足甲の中央部にかかることである。多くの敏感な骨と血管が中央部にあるから、このような締め具の使用は容易にけがの原因となり得る。
別の公知の技術により、このような締め具は、特にブーツ底上に与えられる部分と協働し得る掛け金から成る。この技術の欠点は必ずしもすべてのブーツがすべての締め具に適合しないことである。これの一例がドイツ実用新案29500862に開示される。ドイツ特許出願19524457が開示する締め具は、クリップの形で一つの可動要素を備え、この要素は一つの側面からブーツの上方に回転して足甲の高さでブーツを緊締できる。上記要素を作動させるために、締め具は上記要素に固定に取り付けられるレバーアームを備える。
ドイツ特許出願29520277は、締め具先端の周りにそれを枢軸動させることによって、前方向に上下へ回転可能なクリップの形で一つの可動要素を備える締め具を開示する。上記要素を作動させるために、締め具はそれの下側に上記要素に固定に取り付けられるレバーアームを備える。
それに固定取り付けされたレバーアームを備える、一つだけのクリップ状要素の使用によって、DE 19524457とDE 2952077に開示される締め具は有効な緊締作用を与えられないという欠点を示す。この理由は、操作レバーと可動要素の間の間隔は、ブーツが操作レバーと可動要素の間でスライドを可能とすべく充分大きくなければならないことにある。締め具の閉鎖後、操作レバーと可動要素との間の間隔は不変のままであるから、押圧作用は生じない。
本発明は現在まで公知の態様に関して改善された、かつ公的な態様において、公知の締め具の上述の欠点への解決策をも提供するスノーボード用締め具を目的とする。
この目的に対して本発明は、締め具がブーツまたは何か他の履物をスノーボード上に固定可能にする、スノーボードなどの締め具であって、クリップとして向かい合う側面からブーツまたは履物の上を覆ってかみ合い、かつ足甲の位置上でブーツまたは履物と協働する、少なくとも二つの可動要素を備えることを特徴とする締め具を提供する。
クリップとしてブーツ上を覆ってかみ合う要素がまず第一に意図する要素は、本発明により錠止されるとき、明確なまたはやや明確な形状を想定する、換言すれば、ストラップのような非常に可撓性の要素ではない。“クリップとして”の文言が意図するのは、要素が締め具の閉鎖位置でブーツを部分的または完全に包むということである。
特に、このような要素が意図するのは、剛性の部品または比較的剛性の、やや可撓性部品から構成される構造部品である。
一つだけの要素の代わりに二つの要素を使用することによって、各要素は、比較的短い間隔にわたってブーツを包みさえすればよく、これらの要素の運動がブーツの存在によって影響されないという利点をもたらす。
最も好適な態様により、二つの要素は締め具の向かい合う側面に位置し、かつ開放中、側方へ運動可能である。特別な態様において、この運動は、要素が側方へヒンジ運動可能なことで達成される。
好適な態様により、締め具は、足甲の中央部内の圧力を除去可能にする押圧要素を備える。
好ましく、締め具はまた、単に“ステップイン”とも呼ばれる踏み込み装置をも備える。
さらに、本発明による締め具は、以下の記述と請求項に記述される一つ以上の特徴を有し、それによって、これらの特徴は無作為に組み合わせることができる。
本発明はまた、このような締め具を備えるスノーボードにも関する。
発明の特徴をより良好に説明するために、以下の好適な態様を、つねに非限定的に、もっぱら例示的に添付の図面を参照して記述する。
図１は斜視図で本発明による締め具を示す。
図２は図１での矢印Ｆ２により見た状態を拡大して示す。
図３はＦ３によって図２に示す部分の断面を示す。
図４は図３で線IV−IVによる断面を示す。
図５は図２で線Ｖ−Ｖによる断面を縮小して示す。
図６は図５に類似した変形実施例への略図である。
図７は限られた数の部品だけを表す、分解した変形実施例を示す。
図８はかなり完成した状態で側面図からの図７の締め具を示す。
図９は図８で線IX−IXによる断面を示す。
図１０は一変形実施例を示す。
図１と２に示すように、本発明はスノーボード２のための締め具１に関する。公知のように、このような締め具１は、ユーザのブーツ３と実際のスノーボード２の間を結合すべく設計される。
図１−５に示すように、本発明の好適な形により、締め具１は足甲６の高さでクリップとしてブーツ３の上を覆ってかみ合う、少なくとも二つの要素４，５を備える。
要素４と５は、図５にそれぞれＡとＢで示すような開放位置と閉鎖位置の間で、特殊なヒンジで側方へ運動可能である。これらの要素４と５は締め具１の側面上で底に位置するヒンジ点７，８の周りにヒンジ結合される。
要素４と５は、それぞれ、好ましく、２本の脚９，１０から形成されるクリップから成り、これらの脚は、締め具１が閉鎖するとき、ブーツ３の部分と脚９，１０を互いに結合する結合片１１の上方へ延び、足甲６の縦方向に延び、かつ好ましく、前から後へやや斜めに上昇する。
ヒンジ点７，８は締め具１の部分でもある基板１２上に与えられる。例示のヒンジ点７，８は、その上に脚９，１０を固定する回転軸１３，１４から形成され、それによってこれらの回転軸１３，１４は基板１２の縁上に与えられる台座１５，１６内にヒンジ組み立てされる。これらの台座１５，１６内に与えられる溝１７は脚９，１０に対して回転可能にする。
基板１２は締め具１を、例えば、ねじ１８によって、または何か他の方法で、スノーボード２上に固定可能にする。この基板１２はフレームによっても置き換えられることが明らかである。別の変形実施例により、基板１２は省略でき、かつヒンジ点７，８はスノーボード２へ分離して備えることができる。
さらに、締め具１は、好ましく、いわゆるスポイラの形でかかと保持部１９を含む。好ましく、固定のかかと保持部１９が使用される。
さらに、図１−５の例が示すように、締め具１は、好ましく、ステップイン締め具として実施されて、ブーツ３を介してそれに圧力をかけることによって閉鎖するようにされる。
締め具１は、操作または制御部材、特にレバーアーム２０，２１をも備え、これらのアームによって、締め具を、ブーツ３の底側が加える圧力によって開放位置Ａから閉鎖位置Ｂ内に置くことができる。これらのレバーアーム２０，２１は基板１２の直上に位置する。図示例において、これらは、上述の溝１７の高さで回転軸１３，１４に固定されるＵ状のクリップから成る。
図１−５の態様により、締め具１は締め具１を開放位置内に押圧する弾性手段２２も備える。例において、これらの手段２２はヒンジ点７，８上に与えられ、特にこれらはこれらのヒンジ点７，８内に内蔵される。
特に、これらの弾性手段２２は、図３に示すように、一端２４でそれぞれ回転軸１３，１４に固定され、かつそれの他端２５で対応するヒンジ点７，８の固定点に、換言すれば、台座１５，１６に固定されるねじりばね２３から成る。
さらに、締め具１は、それの使用中、締め具１を閉鎖位置内に保持する錠止手段２６を備える。図１−５の態様により、これらの錠止手段２６は、締め具１が閉鎖するとき、例えば、台座２９内で要素２７を押圧する圧縮ばね２８によって、自動的に錠止する要素２７から成る。要素２７は、圧縮ばね２８の力に対して要素２７を解錠可能にする制御要素３０を備える。
本発明による締め具１は、図示例に示すように、好ましく、少なくとも足甲６の中央部３３を、使用時に無圧力のままにする押圧要素３１，３２を備える。
実際上、これらの押圧要素３１，３２は結合片１１から形成されるが、これらの押圧要素は、好ましく、この目的に対して結合片１１上に与えられる要素から成る。これらの押圧要素３１，３２は、好ましく、やや可撓性および、または圧縮自在材料、例えばゴムから、または合成発泡材のような、より可撓性の材料からさえ構成される。
これらの押圧要素３１，３２は、支持部材を足甲６の、少なくとも左と右に形成するようにも実施される。
特に、押圧要素３１，３２は、支持部材を縦方向に異なる場所で備えるように、図示されるように締め具１の縦方向に、換言すればスノーボード２のユーザの足の縦方向に延びる。
締め具１は押圧要素３１，３２によって供給される押圧力を変化させる手段を備えて、これらの位置をそれぞれ変化させる。この目的のため、押圧要素３１，３２は円筒状であり、かつ結合片１１の周りに偏心的に位置する結果、押圧力は押圧要素３１，３２を結合片１１に関して別の角度位置内に置くことによって変更可能である。押圧要素３１，３２が使用中に回転できないようにするために、図示されない錠止手段を結合片１１と要素４，５の間に備えることができる。
締め具１の働きと使用は、おもに以下のとおりである。最初、要素２７は解錠位置に置かれるから、要素４，５は、図５に示すように位置Ａに停止する。ブーツ３とともに足を締め具１内に置くことによって力Ｐがレバーアーム２０，２１にかかるから、要素４，５は内方へ回転して位置Ｂで停止し、それによって押圧要素３１，３２はブーツ３を足甲６の近くで緊締する。
レバーアーム２０，２１を完全に押し下げる瞬間、要素２７は圧縮ばね２８の助けによって台座２９内にかみ合い、要素４，５はスノーボード２の使用準備が完了する位置Ｂ内に錠止され続ける。
締め具１は、制御要素３０によって要素２７を移動することによって、かつ同時に足を少し持ち上げることによって解放することができる。要素２７を解錠すると直ちに、要素４，５は、ヒンジ点７，８内に位置するねじりばね２３の助けで開放される。
図示されない変形実施例により弾性手段２２は省略することもでき、それによって、使用されるのは、上述の形の、または何であれ、何か他の形の錠止手段２６だけである。
さらに別の可能性により、締め具１を開放位置内に押圧する弾性手段２２に代わって、締め具１を閉鎖位置内に押圧する弾性手段が使用でき、それによって、弾性緊締力が充分大きい閉鎖力を与えるなら、閉鎖位置内での錠止は多分、省略できる。この場合締め具１は多分、制御要素、例えばこの締め具を開放すべく手で操作されるレバー機構を備えることができる。しかし、この場合錠止機構を備え、それによって締め具１内への踏み込みが可能なように、締め具１を開放位置内に錠止することができる。
最後に記述される態様において、要素４，５は、閉鎖位置内でこれらの要素４，５の末端位置を決定する停止手段を備えることも、備えないことも可能な点に注意すべきである。このような停止手段を備える場合、要素４，５は、閉鎖される時、特定の位置を想定する。それによって、停止手段は、それの運動を基板１２が制限する上述のレバーアーム２０，２１から成る。停止手段が与えられない場合、それはブーツ３上に作用する緊締力を決定する弾性手段である。
上述の錠止手段２６は異質のものにすることができ、かつこれらは必ずしもヒンジ点７，８内に一体化する必要はない点に注意すべきである。こうして、変形実施例を略示する、例えば図５に錠止手段３４が備えられ、これによって、二つの上述の要素４，５は足甲６の上を覆って相互に結合可能である。このような錠止機構３４は、例えば、かみ合い部分から構成したり、または要素４，５を同時緊縛可能なひもなどから構成することもできる。図５に参照番号３５で示すように、レバーアーム２０，２１と基板１２の間に錠止のため備えられる錠止手段を利用することもできる。その後、これらは、例えば、ここに示されない制御要素によって解錠することができる。
図１−５の態様で明らかなように、要素４，５は、これらの要素４，５の間にブーツ３とともに足を置くため充分大きな空間をつくるように開放することができる。
ヒンジ点７，８は必ずしも底に位置する必要はないことに注意すべきである。図６に示す変形実施例で、これらのヒンジ点７，８は基板１２などの上方に間隔を置いて位置する。
略図として示す図６の態様も、レバーアーム２０，２１は任意選択的であって、省略可能なことを示す。
図６の態様も、ここに示されない変形実施例により、締め具１が、ブーツ３をその中に置き、かつそれの押し下げによって錠止されるような制御要素を備え得ることが明らかである。
最後に、ブーツ３を包囲する要素は必ずしもヒンジ組み立てする必要はないが、なお本発明の範囲内にとどまりながら、他の運動機構を備えることもできる点に注意すべきである。
変形実施例により、二つの制御要素３０に代わって一つの制御要素だけを操作すればよいように、二つの要素４，５の錠止機構２６は組み合わせ可能なことに注意すべきである。
図７−９に示す特殊な態様で要素４，５の運動は、図１−５に示す機構とは反対に、押圧操作部材の運動と異なることによって、要素４，５の角変位は常にレバーアーム２０，２１の角変位と一致する。これは、以下でさらに記述される押圧要素が、押圧操作部材の閉鎖運動の終わりにブーツ３の周りにしか閉鎖しないという利点をもたらす。
これによって、締め具１は基礎部３９，４０から成る要素４，５を備え、これらはそれぞれ、クリップとしてブーツ３の上を覆ってかみ合う２本のアーム４１，４２を備え、基礎部３９，４０は要素４，５の回転の結果、旋回して離れることができる。
前アーム４１上と後アーム４２上の両方に、押圧要素４３，４４が与えられる。
図７に示すように、本発明により、少なくとも後方押圧要素４４、換言すれば、足甲６の表面部分に位置する押圧要素は、部品、この場合、アーム４２上に与えられ、このアームは、これらの部品と押圧要素４４の位置がブーツ３の形状に自動的に順応するように、少なくとも、前部と後部にヒンジ結合され得る。この目的に対して、アーム４２をヒンジ点４５によって基礎部に固定する。
押圧要素４４はまた、一方で、これらが可動的に、この場合はボールジョイント４６によってアーム４２に固定されるから、かつ他方で、これらは比較的堅いが可撓性材料、例えば比較的堅いプラスチックから製造される支持板４７を備えるから、それ自体、運動することもできる。可撓性の支持部材と、このような可動の付着物との組み合わせに代わって、二つのうちのどちらかだけを準備できることは明らかである。さらに、締め具に備えられる支持部材４８，４９の上面側は、これらがスナップ的に開放しかつ再び閉鎖するとき、要素４，５に対して案内を形成する。これらの支持部材４８，４９は要素４，５の外側面上で基板１２に与えられるか、またはそれとの一体片として形成される。
上述の案内は、ブーツ３上で上述の押圧要素４３，４４の位置と押圧力を調節し得る調節手段５０を備える。これらの調節手段５０は可動部分、特に、ヒンジ５２によって支持部材４８，４９上に与えられ、かつ図１０に示すように、調節ねじ５３によって多かれ少なかれ内側へ押圧され得る滑り片５１から成る。
さらに、締め具１は、ヒンジ点５５，５６によって要素４，５の間に固定され、かつ圧力をブーツ３で加え得る支持部材５４の形の操作または制御部材を備える。要素４，５は、全体が締め具の縦方向に関して斜めに延びる回転軸５７の周りに回転できるように、上述の支持部材５４と一緒に回転自在な方法でこれらの前端近くに基板１２へ固定される。アタッチメントは、一方でヒンジ点５５，５６への回転軸を形成し、かつ他方でヒンジ点６０，６１によって回転軸５７の周りに回転自在な枢軸５８，５９から成る。
図７−９の例において、弾性手段２２は、上述の要素４，５を上述の支持部材５４に関して側方へ押し開くばね６２，６３から成る。錠止フック６５および解錠レバー６６とともに錠止手段６４は、基礎部３９，４０をこれらの上に備えられる支軸６７，６８とともにフック６５の後方で停止するように閉鎖する時、締め具１を確実に固定する。
その働きは図８と９から容易に理解できる。開放位置内での締め具１の部分を仮想線で示す。足をブーツ３とともに締め具内へ置くことによって、かつ支持部材５４を押し下げることによって、要素４，５は、これらが滑り片５１と接触すると、内方へヒンジ運動するように押圧される。支持部材５４を完全に押し下げるとき、フック６５は支軸６７，６８の周りにかみ合うから、締め具１は錠止される。
かみ合いを中断し、解錠レバー６６を作動させ、かつかかとで足をブーツ３とともに持ち上げることによって、要素４，５は支持部材４８，４９を越えてスライドする結果、ばね６２，６３の力によって外方へ回転すべく強いられるから、締め具１が開放するとき、全体も回転軸５７の周りにも上昇する。
支持部材４８，４９に代わって、他の案内手段と閉鎖機構を備えることもできることは明らかである。
締め具に含まれるヒンジ組み立て装置が締め具前端の周りに回転可能である、後者の態様の特徴は、他の方法で実現することもできる。特に実用的な、この種のヒンジ組み立て装置によって、ユーザはこのような装置を備える締め具内に容易にブーツを踏み入れ、かつそれから外すことができる。
本発明はまた、図１０の要素３６のような一つだけの可動要素を備える締め具にも関係することに注意すべきであり、それによって、公知の締め具の欠点を示さない締め具を準備するために、本発明の締め具は、制御部材３６Ａと可動要素３６の間に伝動手段３８を備え、かつ、これらの伝動手段３８は、制御または操作部材３６Ａの運動と異なる可動要素３６の運動を与える。後者によって、例えば要素３６は角度Ａ1にわたって運動する一方、角度Ａ2にわたって部材３６Ａを変位させる。この方法で、ブーツ３は開放した締め具内へ容易にスライド可能な一方、締め具を閉鎖すると直ちに緊締力をつくり出すことができる。
要素３６は、図１０に示すように締め具の側方へ組み立てられるが、このような伝動手段３８を使用する時は、別の位置に、例えばブーツ３の前に設置してもよい。
もちろん、このような伝動手段は二つ以上の可動要素４，５を利用する発明の締め具に具備してもよい。
締め具が運動可能なようにつくられる押圧要素を備える特徴が、本発明により、二つ以上の可動要素４，５を有する態様ならびに一つしか可動要素３６を持たない態様で使用可能であるのは、これらが可動的な方法で付属するから、またはこれらが比較的堅いが、可撓性の材料から製造される支持板を備えるからである。上記運動を与える、これらの板４７とボールジョイント４６を図１０にも示す。
本発明のさらに別の可能性により、良好な緊締作用を一つだけの可動要素によって得られるようにするために、特別のヒンジ点３７を、例えば図１０に示すように、上述の伝動手段３８と組み合わせる、または組み合わせない押圧要素３１と３２の間に備えることができる。後者の場合、最初に押圧要素３２が、続いて押圧要素３１が押圧され、それによって、必要な錠止作用がヒンジ点３８とヒンジ点３７内に与えられて、これらの戻り回転を防止する。
本発明により、少なくとも足甲６の中央部を無圧力のままにする押圧要素を使用する特徴は、二つ以上の可動要素４，５を有する態様ならびに一つしか可動要素３６を持たない態様で使用可能である。
本発明は例示されかつ添付図面内に示される態様に決して限定されるものではない。むしろ、このようなスノーボードなどは、本発明の範囲の内部になおもとどまる一方、各種の形と寸法で製造可能である。
【図１】
0004159613.tif 000002
【図３】
0004159613.tif 000003
【図２】
0004159613.tif 000004
【図４】
0004159613.tif 000005
【図５】
0004159613.tif 000006
【図６】
0004159613.tif 000007
【図１０】
0004159613.tif 000008
【図７】
0004159613.tif 000009
【図８】
0004159613.tif 000010
【図９】
0004159613.tif 000011